(57)【要約】【課題】  比較的簡単に操作できて、振動や衝撃荷重に対してもキーロックが確実に保持されて安全性が向上したセーフティーボックスを提供する。【解決手段】  セーフティーボックスにおいて、キーの嵌脱に連動されて往復動するラッチと、前記ラッチの往復動に従い互いに左右方向に移動する一対のスライドプレートと、該一対のスライドプレートをキーのロック解除方向に引き戻すように付勢されたスプリングとをそなえ、一対のスライドプレートにはカバーが開口部を閉鎖したときスプリングの弾力により前記カバーの２箇所の係止部にそれぞれ係合してカバーを閉位置で係止せしめるとともにキーをスプリングの弾力に抗してロック解除方向に操作したときカバーの係止部との係合を開放して該カバーを開方向に移動可能とする係止爪が形成される。【選択図】    図４
2006161540.tif 000002
【特許請求の範囲】
【請求項１】
貴重品等の収納物収納用の収納室が内部に形成されるとともに前記収納室内に収納物を出し入れする開口部が開設された箱状の本体ボックスと、該本体ボックスに取り付けられて該本体ボックスの案内部に沿って往復動することにより前記開口部を開閉するカバーと、前記本体ボックスの前方側に取り付けられて前記カバーが前記開口部を閉鎖した状態で該カバーを施錠するキーロック機構をそなえたセーフティーボックスであって、前記キーロック機構は、キーの嵌脱に連動されて往復動するとともに戻し機構をそなえたラッチと、ケース部材に左右対称に対をなして移動可能に取り付けられ前記ラッチの往復動に従い互いに左右方向に移動する一対のスライドプレートとをそなえ、前記一対のスライドプレートには前記カバーが開口部を閉鎖したとき前記ラッチの戻し機構の戻し力により前記カバーの２箇所の係止部にそれぞれ係合して該カバーを閉位置で係止せしめるとともに前記キーを前記戻し機構の戻し力に抗してロック解除方向に操作したとき前記カバーの係止部との係合を開放して該カバーを開方向に移動可能とする係止爪がそれぞれ設けられたことを特徴とするセーフティーボックス。
【請求項２】
前記ラッチにはスライドピンが突設され、前記一対のスライドプレートはボックス中心（セーフティーボックスの幅方向中心）に関して左右の反対方向に移動可能に前記ケース部材に取り付けられるとともに前記スライドピンがスライド可能に嵌合するスライド溝がそれぞれ刻設され、前記ラッチの戻し機構の戻し力を補助するスプリングが前記一対のスライドプレート間に架設されて、前記ラッチの戻し機構と共働して前記一対のスライドプレートの係止爪を前記カバーの２箇所の係止部にそれぞれ係合するように付勢されており、一対のスライドプレートの係止爪と前記カバーの２箇所の係止部がそれぞれ係合されている前記カバーの閉位置において、前記キーにより前記ラッチをロック解除方向に操作したとき前記スライドピンが前記一対のスライドプレートに形成された前記スライド溝に沿って移動することにより前記一対のスライドプレートを前記係止爪とカバーの係止部との係合を開放する開放方向に移動せしめるように構成したことを特徴とする請求項１記載のセーフティーボックス。
【請求項３】
前記一対のスライドプレートのスライド溝は、該スライドプレートの係止爪と前記カバーの２箇所の係止部がそれぞれ係合されている前記カバーの閉位置においては前記ラッチのスライドピンが該スライド溝の一端側に嵌合し、前記キーによる前記ラッチの前記開放方向への移動に伴ない前記スライドピンが該スライド溝を移動することにより一対のスライドプレートを前記開放方向に移動せしめるように前記一端側から左右方向外側に向けて湾曲して形成されたことを特徴とする請求項１記載のセーフティーボックス。
【発明の詳細な説明】
【技術分野】
【０００１】
本発明は、病室の貴重品保護収納用ボックス等に適用され、収納室内に収納物を出し入れする開口部が上面に設けられた箱状の本体ボックスと、該本体ボックスのガイドレールに沿って往復動することにより前記開口部を開閉するスライドカバーとをそなえたセーフティーボックスに関する。
【背景技術】
【０００２】
病室の抽斗（ひきだし）の内部に固定され、貴重品を収納してキーでロックすることにより貴重品を盗難から保護する貴重品保護収納用ボックス等に適用されているセーフティーボックスの一つに、特許文献１（特開２０００−２５７３１８号公報）にて提供されている技術がある。
【０００３】
特許文献１の技術においては、貴重品等の収納物収納用の収納室が内部に形成されるとともに前記収納室内に収納物を出し入れする開口部が開設された箱状の本体ボックスに連結するロック機構ユニットに、マスターキー、カードキーの各キー判定部を内蔵し、かつキー設定カードの差し込み窓の開閉リッドを設け、前記各キー判定部にはマスターキー、カードキーの押し込み操作により下方に移動可能な可動部を設け、該マスターキーの可動部にはリッドと係合可能なリッドロック爪を有するリッドロック部材を連結する一方、マスターキー側及びカードキー側の両可動部と連動して下方移動可能とするとともに常態ではこれら両可動部を上方に付勢しつつ開閉カバーと係合可能なカバーロック爪を有するカバーロック部材を設けている。
【０００４】
【特許文献１】特開２０００−２５７３１８号公報
【発明の開示】
【発明が解決しようとする課題】
【０００５】
前記のような、病室の抽斗（ひきだし）の内部に固定され、貴重品を収納してキーロックをすることにより貴重品を盗難から保護する貴重品保護収納用ボックスに適用されるセーフティーボックスは、貴重品を収納後はキーでの開放をロックされているが、比較的簡単に操作できて、キーロックが外れ難いように万全を期すことが要求される。
【０００６】
しかるに、前記特許文献１（特開２０００−２５７３１８号公報）にて提供されている技術にあっては、マスターキーの可動部により駆動されるリッドロック部材の一端側に形成されたリッドロック爪をリッドの端部に形成されたフランジ部に係合することにより、カバーを閉状態でロックしているが、リッドの端部に形成されたフランジ部の一箇所にリッドロック爪を係合してカバーのロックをしているにとどまるため、振動や衝撃荷重がリッドロック爪とフランジ部との係合部に作用した際に該係合部が外れてカバーが開放されてしまう、という問題が発生する可能性が残っており、キーロックが外れ難いような万全な構造ではない。
【０００７】
本発明はかかる従来技術の課題に鑑み、比較的簡単に操作できて、振動や衝撃荷重に対してもキーロックが確実に保持されて安全性が向上したセーフティーボックスを提供することを目的とする。
【課題を解決するための手段】
【０００８】
本発明はかかる目的を達成するもので、貴重品等の収納物収納用の収納室が内部に形成されるとともに前記収納室内に収納物を出し入れする開口部が開設された箱状の本体ボックスと、該本体ボックスに取り付けられて該本体ボックスの案内部に沿って往復動することにより前記開口部を開閉するカバーと、前記本体ボックスの前方側に取り付けられて前記カバーが前記開口部を閉鎖した状態で該カバーを施錠するキーロック機構をそなえたセーフティーボックスであって、前記キーロック機構は、キーの嵌脱に連動されて往復動するとともに戻し機構をそなえたラッチと、ケース部材に左右対称に対をなして移動可能に取り付けられ前記ラッチの往復動に従い互いに左右方向に移動する一対のスライドプレートとをそなえ、前記一対のスライドプレートには前記カバーが開口部を閉鎖したとき前記ラッチの戻し機構の戻し力により前記カバーの２箇所の係止部にそれぞれ係合して該カバーを閉位置で係止せしめるとともに前記キーを前記戻し機構の戻し力に抗してロック解除方向に操作したとき前記カバーの係止部との係合を開放して該カバーを開方向に移動可能とする係止爪がそれぞれ設けられたことを特徴とする。
【０００９】
かかる発明において、具体的には、前記ラッチにはスライドピンが突設され、前記一対のスライドプレートはボックス中心（セーフティーボックスの幅方向中心）に関して左右の反対方向に移動可能に前記ケース部材に取り付けられるとともに前記スライドピンがスライド可能に嵌合するスライド溝がそれぞれ刻設され、前記ラッチの戻し機構の戻し力を補助するスプリングが前記一対のスライドプレート間に架設されて、前記ラッチの戻し機構と共働して前記一対のスライドプレートの係止爪を前記カバーの２箇所の係止部にそれぞれ係合するように付勢されており、一対のスライドプレートの係止爪と前記カバーの２箇所の係止部がそれぞれ係合されている前記カバーの閉位置において、前記キーにより前記ラッチをロック解除方向に操作したとき前記スライドピンが前記一対のスライドプレートに形成された前記スライド溝に沿って移動することにより前記一対のスライドプレートを前記係止爪とカバーの係止部との係合を開放する開放方向に移動せしめるように構成するのが好ましい。
【００１０】
さらに前記構成に加えて、好ましくは、前記一対のスライドプレートのスライド溝は、該スライドプレートの係止爪と前記カバーの２箇所の係止部がそれぞれ係合されている前記カバーの閉位置においては前記ラッチのスライドピンが該スライド溝の一端側に嵌合し、前記キーによる前記ラッチの前記開放方向への移動に伴ない前記スライドピンが該スライド溝を移動することにより一対のスライドプレートを前記開放方向に移動せしめるように前記一端側から左右方向外側に向けて湾曲して形成する。
【発明の効果】
【００１１】
本発明によれば、ケース部材に左右対称に対をなして移動可能に取り付けられ、キーの嵌脱に連動されて往復動するラッチの移動に従い互いに左右方向に移動する一対のスライドプレートを設けるとともに、前記一対のスライドプレートには前記カバーの係止部と係脱する係止爪を設け、前記カバーが本体ボックスの開口部を閉鎖したとき前記各スライドプレートの係止爪が前記ラッチの戻し機構の戻し力及びこれを補助するスプリングの弾力により前記カバーの係止部にそれぞれ係合して該カバーを閉位置で係止せしめ、前記キーを前記ラッチの戻し機構の戻し力及びスプリングの弾力に抗してロック解除方向に操作したとき前記各スライドプレートの係止爪とカバーの係止部との係合を開放して該カバーを開方向に移動可能とし、さらに、該スライドプレートのそれぞれに前記ラッチに突設されたスライドピンがスライド可能に嵌合するスライド溝を設け、一対のスライドプレートの係止爪と前記カバーの係止部とが係合されているカバーの閉位置において、前記キーにより前記ラッチをロック解除方向に操作したとき前記スライドピンが前記スライド溝に沿って移動することにより前記一対のスライドプレートの係止爪とカバーの係止部との係合を開放する方向に移動せしめるように構成したので、
カバーが本体ボックスの開口部を閉じるカバーの閉位置では、前記ラッチの戻し機構の戻し力及びスプリングの弾力により一対のスライドプレートのそれぞれに形成された係止爪がカバーの２箇所の係止部に同時に係合されることとなって、振動や衝撃荷重がセーフティーボックスに作用するような事態となっても前記係合が外れることがなく、キーロックが確実に保持されて、前記従来技術よりも安全性が各段に向上する。
【００１２】
また、キーを前記ラッチの戻し機構の戻し力及びスプリングの弾力に抗してロック解除方向に操作するのみで、前記スライドピンが前記一対のスライドプレートに形成されたスライド溝に沿って移動することにより前記一対のスライドプレートを移動せしめてこれの係止爪とカバーの係止部との係合を開放してカバーの施錠を解除できる一方、該カバーが本体ボックスの開口部を閉じると前記ラッチの戻し機構の戻し力及びスプリングの弾力によって自動的に前記一対のスライドプレートの係止爪とカバーの係止部とが係合されてカバーの施錠状態とすることができるので、操作がきわめて簡単であり高い操作性をそなえたセーフティーボックスが得られる。
【発明を実施するための最良の形態】
【００１３】
以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
【００１４】
図１は本発明の実施例に係るセーフティーボックスの平面図、図２は前記実施例におけるセーフティーボックスの側面図、図３は前記実施例におけるセーフティーボックスの縦断面図（図１のＡ−Ａ線断面図）である。
図１〜３において、１は四角断面の箱状に形成された本体ボックス、３は該本体ボックス１の前方側に取り付けられたキー収納ボックス、３１は該キー収納ボックス３のキー座３２に設けられたキー挿入部、３３は該キー収納ボックス３のカバーである。
【００１５】
前記箱状本体ボックス１において、１ｆは底板、１ｉは左右の側板、１ｄは前記両側板１ｉの後端部に結合される背面板、１ｇは前記両側板１ｉの前端部に結合される前面板である。前記本体ボックス１の前半部分には、該本体ボックス１の内部に形成された収納室６内に貴重品等の収納物を出し入れする開口部１３が開口されている。
５は前記本体ボックス１の上部の両側部に前後方向に伸びて形成されたガイドレールで、該ガイドレール５は、前記左右の側板１ｉの上端部を折り曲げ加工により内側にコの字状に屈曲させて形成され、該ガイドレール５に沿って後述する該スライドカバー２が往復動して、前記開口部１３を開閉するようになっている。
１９は前記本体ボックス１の外側に設けられて該本体ボックス１の後半分を覆うカバー部である。該カバー部１９は、前記本体ボックス１の左右の側板１ｉの外周に該側板１ｉを覆うようにして、前後方向に往復移動可能に嵌合されるとともに、後端部が前記背面板１ｄに当接して、該カバー部１９の後端部と背面板１ｄの上部とにより断面形状が箱状の補強部を形成している
【００１６】
２はセーフティーボックスの前後方向に往復動して前記開口部１３を開閉するスライドカバーであり、該スライドカバー２は両側部を外側にコの字状に屈曲させて上方に開口して形成された嵌合部が前記本体ボックス１のガイドレール５の溝部内に前後方向にスライド可能に嵌合し、前記本体ボックス１の左右の側板１ｉの上部に形成されたガイド部の水平なガイド面上を前後方向に移動するようになっている。
また、前記スライドカバー２はその嵌合部が前記のようにして本体ボックス１のガイドレール５に前後方向にスライド可能に嵌合されるとともに前記カバー部１９の内側に前後方向にスライド可能に嵌合されて、上面板２ｓにより前記本体ボックス１の開口部１３を開閉可能となっている。
２ａは前記スライドカバー２の取手で、前記上面板２ｓの前部上面にスポット溶接によって接合され、該取手２ａを把持してスライドカバー２をスライドさせ、前記本体ボックス１の開口部１３を開閉する。
【００１７】
本発明は、前記のように構成されたセーフティーボックスにおけるキーロック装置に関するものである。
図４は本発明の実施例におけるキー収納機構の要部断面図（図３のＺ部拡大図）で、（Ａ）はキーロック時、（Ｂ）はキーロック解除時を示す。図５は前記実施例におけるキー収納機構を示す図４のＢ−Ｂ矢視図で、（Ａ）はキーロック時、（Ｂ）はキーロック解除時を示す。また、図６は前記実施例におけるキー収納機構を示す図４のＣ−Ｃ矢視図で、（Ａ）はキーロック時、（Ｂ）はキーロック解除時を示す。
また、図７は前記実施例におけるスライドピンと上下一対のスライドプレートのスライド溝との嵌合部の詳細を示す部分正面図で、（Ａ）はキーロック時、（Ｂ）はキーロック解除時を示し、図８は前記実施例におけるスライドピンとスライドプレートのスライド溝との嵌合部の詳細を示す部分正面図で、（Ａ）はキーロック時、（Ｂ）はキーロック解除時を示し、図９は前記実施例におけるスライドピンとスライドプレートのスライド溝との嵌合部の詳細を示す部分正面図で、（Ａ）はキーロック時、（Ｂ）はキーロック解除時を示す。
さらに、図１０は前記実施例におけるキーによるスライドカバーの係止爪を示す図４のＹ矢視図で、Ａ）はキーロック時、（Ｂ）はキーロック解除時を示し、図１１は前記実施例における図１０のＷ−Ｗ断面図で、（Ａ）はキーロック時、（Ｂ）はキーロック解除時を示す。
【００１８】
図４〜６は、図１〜３におけるカバー３３を除去した場合のキー収納ボックス３の内部に設けられたキーロック機構２００の詳細を示しており、該キーロック機構２００は前記本体ボックス１の前方側に取り付けられて前記スライドカバー２が前記開口部１３を閉鎖した状態で該カバーを施錠するようになっており、キー座３２に設けられたキー挿入部３１には図示しないキーが回動可能に挿入されている。４０はキー収納ボックス３のケース、３４は前記キー座３２を支持するブラケットで、根本部をケース４０に固定している。
５０は前記キーに連動されて、該キーの回動により往復動するラッチである。該ラッチ５０の内部には戻しばね等の戻し機構（図示省略）が内蔵されている。また、図４のように該ラッチ５０には、詳細を後述するように、スライド溝３７ｄ，３８ｄに嵌合するスライドピン３６が突設されている。３９は前記ケース４０に固定されたブラケット、３７及び３８は該ブラケット３９に左右対称に対をなして移動可能に取り付けられたスライドプレートである。
【００１９】
前記スライドプレート３７及び３８は、図４のように上下に重ね合わせる形態で、ボックス中心（セーフティーボックスの幅方向中心）１ｘに関して左右に互いに反対方向に移動可能に設けられている。４１は前記一対のスライドプレート３７，３８に取り付けられたスプリングである。該スプリング４１は前記ラッチの戻し機構の戻し力を補助する機能を有し、前記一対のスライドプレート３７，３８間に架設されて、前記ラッチの戻し機構と共働して前記一対のスライドプレート３７，３８をキーロックの解除方向に引き戻すように付勢されている。
前記一対のスライドプレート３７及び３８には該スライドプレート３７，３８をキーロックの解除方向に移動せしめるように左右方向外側に向けて湾曲して形成されたスライド溝３７ｄ，３８ｄが形成されている。即ち前記スライドプレート３７には、図７のように一方向（この例では右方向）に傾斜したスライド溝３７ｄが刻設され、スライドプレート３８には、図７のように前記と反対方向（この例では左方向）に傾斜したスライド溝３８ｄが刻設され、図４及び図７のように該スライド溝３７ｄ及び３８ｄに前記スライドピン３６がスライド可能に嵌合している。
【００２０】
４２は前記ブラケット３９を前記ケース４０に固定するためのボルトで、図４のように前記スライドプレート３７及びスライドプレート３８は前記ブラケット３９とケース４０との間に移動可能に支持されており、また前記スライドプレート３７及びスライドプレート３８は前記ボルト４２との嵌合部分には横長の案内溝３７ｃ（図６参照）が形成されて（スライドプレート３８にも案内溝（図示省略）が設けられている）、該スライドプレート３７及びスライドプレート３８を相対移動可能にしている。
【００２１】
一方、図１０〜１１に示されるように、前記スライドプレート３７及びスライドプレート３８には上部側をボックス後方側に屈曲して係止爪３７ｚ及び３８ｚが形成されている。図１１のように該係止爪３７ｚ及び３８ｚは、前記スライドカバー２の前端に形成された係止板部２ｙの孔２ｚ及び前記ケース４０の孔４０ｚ内に、該孔２ｚ，４０ｚ内を相対移動可能に嵌合されている。
【００２２】
かかる実施例において、前記スライドカバー２が左方に動いて、図３のように前記本体ボックス１の開口部１３を閉鎖したときには、前記ラッチ５０の戻し機構の戻し力及びスプリング４１の弾力により前記一対のスライドプレート３７，３８は図５（Ａ）のように互いに内側に引き寄せられ、図１１（Ａ）のように該スライドプレート３７，３８に形成された前記係止爪３７ｚ，３８ｚが外側に移動して前記スライドカバー２の係止板部２ｙに係止される。
これにより、前記スライドカバー２の移動は係止され、キーロック状態となる。
【００２３】
また、図５（Ｂ）のように、前記キーをＮ矢印のように回転させると、該キーに連動して前記ラッチ５０及び該ラッチ５０に固定されたスライドピン３６が図４（Ｂ）及び図７（Ｂ）のＹ方向に移動する。即ち、図７（Ｂ），図８（Ｂ），図９（Ｂ）のように、該スライドピン３６は前記スライドプレート３７及びスライドプレート３８にそれぞれ刻設されているスライド溝３７ｄ及び３８ｄ内をＶ方向に移動することとなり、かかるスライド溝３７ｄ及び３８ｄ内における該スライドピン３６のＶ方向移動によって、前記スライドプレート３７及びスライドプレート３８は、図７（Ｂ），図８（Ｂ），図９（Ｂ）のように互いに反対のＴ方向に移動する。かかるスライドプレート３７及びスライドプレート３８の移動により、図１１（Ｂ）のように該スライドプレート３７，３８の係止爪３７ｚ，３８ｚが内側に移動して前記スライドカバー２の係止板部２ｙから外れる。
これにより、キーロック状態が解除され、前記スライドカバー２は前記開口部１３を解放可能となる。
【００２４】
以上のように、かかる実施例によれば、スライドカバー２が本体ボックス１の開口部１３を閉じるスライドカバー２の閉位置では、前記ラッチ５０の戻し機構の戻し力及びスプリング４１の弾力により一対のスライドプレート３７，３８のそれぞれに形成された係止爪３７ｚ，３８ｚがスライドカバー２の２箇所の係止板部２ｙに同時に係合されることとなって、振動や衝撃荷重がセーフティーボックスに作用するような事態となっても前記係合が外れることがなく、キーロックが確実に保持されて、前記従来技術よりも安全性が各段に向上する。
【００２５】
また、キーを前記ラッチ５０の戻し機構の戻し力及びスプリング４１の弾力に抗してロック解除方向に操作するのみで、前記スライドピン３６が前記一対のスライドプレート３７，３８に形成されたスライド溝３７ｄ，３８ｄに沿って移動することにより、前記一対のスライドプレート３７，３８を移動せしめてこれの係止爪３７ｚ，３８ｚとスライドカバー２の２箇所の係止板部２ｙとの係合を開放してスライドカバー２の施錠を解除できる一方、該スライドカバー２が本体ボックス１の開口部１３を閉じると前記ラッチ５０の戻し機構の戻し力及びスプリング４１の弾力によって自動的に前記一対のスライドプレート３７，３８の係止爪３７ｚ，３８ｚとスライドカバー２の係止板部２ｙとが係合されてスライドカバー２の施錠状態とすることができるので、操作がきわめて簡単であり高い操作性をそなえたセーフティーボックスが得られる。
【産業上の利用可能性】
【００２６】
本発明によれば、比較的簡単に操作できて、振動や衝撃荷重に対してもキーロックが確実に保持されて安全性が向上したセーフティーボックスを提供することができる。
【図面の簡単な説明】
【００２７】
【図１】本発明の実施例に係るセーフティーボックスの平面図である。
【図２】前記実施例におけるセーフティーボックスの側面図である。
【図３】前記実施例におけるセーフティーボックスの縦断面図（図１のＡ−Ａ線断面図）である。
【図４】前記実施例におけるキー収納機構の要部断面図（図３のＺ部拡大図）で、（Ａ）はキーロック時、（Ｂ）はキーロック解除時を示す。
【図５】前記実施例におけるキー収納機構を示す図４のＢ−Ｂ矢視図で、（Ａ）はキーロック時、（Ｂ）はキーロック解除時を示す。
【図６】前記実施例におけるキー収納機構を示す図４のＣ−Ｃ矢視図で、（Ａ）はキーロック時、（Ｂ）はキーロック解除時を示す。
【図７】前記実施例におけるスライドピンと上下一対のスライドプレートのスライド溝との嵌合部の詳細を示す部分正面図で、（Ａ）はキーロック時、（Ｂ）はキーロック解除時を示す。
【図８】前記実施例におけるスライドピンと上部側のスライドプレートのスライド溝との嵌合部の詳細を示す部分正面図で、（Ａ）はキーロック時、（Ｂ）はキーロック解除時を示す。
【図９】前記実施例におけるスライドピンと下部側のスライドプレートのスライド溝との嵌合部の詳細を示す部分正面図で、（Ａ）はキーロック時、（Ｂ）はキーロック解除時を示す。
【図１０】前記実施例における図４のＹ矢視図で、（Ａ）はキーロック時、（Ｂ）はキーロック解除時を示す。
【図１１】前記実施例における図１０のＷ−Ｗ断面図で、（Ａ）はキーロック時、（Ｂ）はキーロック解除時を示す。
【符号の説明】
【００２８】
１  本体ボックス
２  スライドカバー
２ｙ  係止板部
２ｓ  上面板
３  キー収納ボックス
５  ガイドレール
６  収納室
１３  開口部
１９  カバー部
３１  キー挿入部
３２  キー座
３３  カバー
３６  スライドピン
３７，３８  スライドプレート
３７ｄ，３８ｄ  スライド溝
３７ｚ，３８ｚ  係止爪
３９  ブラケット
４０  ケース
４１  スプリング
５０  ラッチ
２００  キーロック機構
【図１】
2006161540.tif 000003
【図２】
2006161540.tif 000004
【図３】
2006161540.tif 000005
【図４】
2006161540.tif 000006
【図５】
2006161540.tif 000007
【図６】
2006161540.tif 000008
【図７】
2006161540.tif 000009
【図８】
2006161540.tif 000010
【図９】
2006161540.tif 000011
【図１０】
2006161540.tif 000012
【図１１】
2006161540.tif 000013